(57)【要約】【課題】故障時ユニット交換と簡単な調整のみで復旧させることができる無線通信機を提供する。【解決手段】ＣＰＵとＲＯＭを含み表示およびキーユニット５からの指示に基づいて送受信を制御するコントローラユニット１を備え、コントローラユニット１のＲＯＭには送信ユニット２、送信アンプユニット３および受信ユニット４の各々に備えている調整部品の調整値とを記憶させておいて、送信ユニット２、送信アンプユニット３および受信ユニット５の各々に各別に、ユニットに備えている調整部品の調整値を記憶させるＲＯＭを備え、ユニットの交換が行われたとき交換されたユニットのＲＯＭに、該ユニットについてコントローラユニット１のＲＯＭに記憶されている調整部品の調整値をコピーし、コピーされた調整値に交換されたユニットの調整部品を調整する。【選択図】        図１
2007194678.tif 000002
【特許請求の範囲】
【請求項１】
送信のための送信ユニット、送信信号増幅のための送信アンプユニット、受信のための受信ユニット、機能表示および動作指示のための表示およびキーユニット、ＣＰＵとＲＯＭを含み表示およびキーユニットからの指示に基づいて送受信を制御するコントローラユニットを備え、コントローラユニットのＲＯＭにはコントローラユニット調整のために備えている調整部品の調整値と、送信ユニット、送信アンプユニットおよび受信ユニットの各々に備えている調整部品の調整値とを記憶させてある無線通信機において、
送信ユニット、送信アンプユニットおよび受信ユニットの各々に各別に、ユニットに備えている調整部品の調整値を記憶させるＲＯＭを備え、ユニットの交換が行われたときに交換されたユニットのＲＯＭに、該ユニットについてコントローラユニットのＲＯＭに記憶されている調整部品の調整値をコピーし、コピーされた調整値に交換されたユニットの調整部品を調整することを特徴とする無線通信機。
【発明の詳細な説明】
【技術分野】
【０００１】
本発明は無線通信機を構成する基板（ユニットとも記す）に設けられた回路の調整部品の調整値を記憶させたＲＯＭを各ユニットにそれぞれ備えた無線通信機に関する。
【背景技術】
【０００２】
無線通信機において、正常電源からの出力と非常時に通信環境確保のために設けられた非常用電源からの出力との何れか一方の出力を動作電力とする無線通信機における非常用電源使用の通知方法として、非常用電源に切り替わったことを検出して、前記無線通信機からの予め定めた特定電波の無線による送信により通知することが知られている（例えば特許文献１参照）。
【特許文献１】特開２００５−２３６８２０号公報
【０００３】
一方、図４に示すように無線通信機２０は、ＣＰＵ、ＲＯＭを含むコントローラユニット１、送信などのための送信ユニット２Ａ、送信信号増幅のための送信アンプユニット３Ａ、受信などのための受信ユニット４Ａ、機能表示および動作指示などのための表示およびキーユニット５から構成されている。
【０００４】
また、コントローラユニット１は表示およびキーユニット５からの指示などに基づいて無線通信機２０の送受信を制御すると共に、コントローラユニット１のＲＯＭにはコントローラユニット１の調整のために備えている電子ボリュームや可変コンデンサなどの調整部品の調整値の他に、送信ユニット２Ａ、送信アンプユニット３Ａ、受信ユニット４Ａの各々に備えている電子ボリュームや可変コンデンサなどの調整部品の調整値が記憶させてある。
【０００５】
コントローラユニット１、送信ユニット２Ａ、送信アンプユニット３Ａ、受信ユニット４Ａ、表示およびキーユニット５は、それぞれ各別に形成されており、コントローラユニット１、送信ユニット２Ａ、送信アンプユニット３Ａ、受信ユニット４Ａ、表示およびキーユニット５を形成する基板は筐体に組み込まれて無線通信機２０を構成している。
【０００６】
このように複数のユニットで構成された無線通信機２０において、仕様通りの電気的特性が得られるように、送信アンテナ部、受信アンテナ部、各ユニットにおける入出力端子の入出力信号レベルが生産中および／または出荷時に調整される。この出荷時の調整のためには、各々の調整に応じた測定器を必要とし、また、調整用のソフトウエアを使用したマイクロコンピュータにより無線通信機内の各ユニットに搭載された電子ボリュームや可変コンデンサなどの調整部品を調整し、無線通信機の動作状態毎に可変調整して、その値をコントローラユニット１に設けられているＲＯＭに記憶させてある。これらの調整は、複数のユニットに搭載されている回路素子の電気的特性のばらつきを補正するためにも必要なものである。
【０００７】
これらの出荷時の調整は、例えば、マイク入力信号の変調度調整の場合は、表示およびキーユニット５に設けられたマイク入力信号端子に送信信号が入力され、コントローラユニット１にわたり、コントローラユニット１内のデジタルシグナルプロセッサ（ＤＳＰ）により信号処理が行われた後、電子ボリュームにより変調器へ適切な信号レベルに可変されて送信ユニット２Ａから出力され、送信アンプユニット３Ａにて増幅のうえ送信アンテナ端子に出力される。ここで、マイク入力信号は無線通信機２０の仕様で定められている信号レベルであり、送信アンテナ端子から出力される信号レベルは適切な信号レベルになるように調整された出力信号レベルであって、各ユニットに設けられている電子ボリュームや可変コンデンサなどの調整部品の調整値はコントローラ１内のＲＯＭに記憶される。
【発明の開示】
【発明が解決しようとする課題】
【０００８】
しかし、上記した従来の無線通信機において、無線通信機が故障した場合、部品交換あるいはユニット交換することにより修理に対応をするが、回路素子の電気的特性のばらつきやユニット毎の電気的特性のばらつきがあるため、工場での出荷時と同様の方法で再度調整することが必要である。しかるにこの調整には、調整項目毎に必要な測定器を用意しなければならないこと、調整項目数が多いことなどのために調整に時間がかかるという問題点があった。この結果、無線通信機を製造者が使用者から回収して修理と調整をする必要があり、復旧までに時間が必要であるという問題点があった。
【０００９】
本発明は、故障の場合、現地でユニット交換と簡単な調整のみで復旧させることができる無線通信機を提供することを目的とする。
【課題を解決するための手段】
【００１０】
本発明の請求項１にかかる無線通信機は、送信のための送信ユニット、送信信号増幅のための送信アンプユニット、受信のための受信ユニット、機能表示および動作指示のための表示およびキーユニット、ＣＰＵとＲＯＭを含み表示およびキーユニットからの指示に基づいて送受信を制御するコントローラユニットを備え、コントローラユニットのＲＯＭにはコントローラユニット調整のために備えている調整部品の調整値と、送信ユニット、送信アンプユニットおよび受信ユニットの各々に備えている調整部品の調整値とを記憶させてある無線通信機において、
送信ユニット、送信アンプユニットおよび受信ユニットの各々に各別に、ユニットに備えている調整部品の調整値を記憶させるＲＯＭを備え、ユニットの交換が行われたときに交換されたユニットのＲＯＭに、該ユニットについてコントローラユニットのＲＯＭに記憶されている調整部品の調整値をコピーし、コピーされた調整値に交換されたユニットの調整部品を調整することを特徴とする。
【発明の効果】
【００１１】
本発明の請求項１にかかる無線通信機によれば、無線通信機のユニットに故障が生じたときに、故障を生じたユニットを交換し、交換されたユニットのＲＯＭにそのユニットについてコントローラユニットのＲＯＭに記憶されている調整部品の調整値がコピーされ、コピーされた調整値に交換されたユニットの調整部品が調整されることになるため、故障ユニットを含む無線通信機を工場に返送して修理する必要はなくなり、故障ユニットの交換で無線通信機を復旧させることができる。
【発明を実施するための最良の形態】
【００１２】
以下、本発明にかかる無線通信機を実施の一形態によって説明する。
【００１３】
図１は本発明の実施の一形態にかかる無線通信機の構成を示す模式図である。
【００１４】
本発明の実施の一形態にかかる無線通信機１０は、図１に示すように、ＣＰＵ、ＲＯＭを含むコントローラユニット１、送信などのための送信ユニット２、送信信号増幅のための送信アンプユニット３、受信などのための受信ユニット４、機能表示および動作指示などのための表示およびキーユニット５から構成されている。コントローラユニット１は表示およびキーユニット５からの指示などに基づいて無線通信機１０の送受信を制御する。
【００１５】
送信ユニット２、送信アンプユニット３、受信ユニット４、表示およびキーユニット５の各々は、送信ユニット２Ａ、送信アンプユニット３Ａ、受信ユニット４Ａ、表示およびキーユニット５に対応しており、送信ユニット２、送信アンプユニット３、受信ユニット４の各々には、各ユニットの調整のために備えている電子ボリュームや可変コンデンサなどの調整部品の調整値を記憶するＲＯＭを各別に備えている。
【００１６】
コントローラユニット１、送信ユニット２、送信アンプユニット３、受信ユニット４、表示およびキーユニット５は、それぞれ各別に基板上に形成されており、コントローラユニット１、送信ユニット２、送信アンプユニット３、受信ユニット４、表示およびキーユニット５を形成する基板は筐体に組み込まれて無線通信機１０を構成している。
【００１７】
このように複数のユニットで構成された無線通信機１０において、無線通信機２０の場合と同様に、仕様通りの電気的特性が得られるように、送信アンテナ部、受信アンテナ部、各ユニットにおける入出力端子の入出力信号レベルが出荷時に調整される。この出荷時の調整の結果である無線通信機内の各ユニットに搭載されている電子ボリュームや可変コンデンサなどの調整部品の調整値は対応する各ユニットに設けられているＲＯＭに記憶させると共に、コントローラユニット１に設けられているＲＯＭにも記憶させてある。さらに、コントローラユニット１のＲＯＭにはコントローラユニット１の調整のために備えている電子ボリュームや可変コンデンサなどの調整部品の調整値も記憶させてある。
【００１８】
したがって、送信ユニット２、送信アンプユニット３、受信ユニット４、表示およびキーユニット５の各々に調整のために備えている電子ボリュームや可変コンデンサなどの調整部品の出荷時における調整値が送信ユニット２、送信アンプユニット３、受信ユニット４、表示およびキーユニット５の各々に設けられたＲＯＭとコントローラユニット１のＲＯＭとに重複して記憶させてあることになる。
【００１９】
上記のように構成された無線通信機において、故障が生じた場合、故障したユニット、例えば、送信ユニット２が現地にて交換される。この状態において、交換前の送信ユニット２における電子ボリュームや可変コンデンサなどの調整部品の調整値がコントローラユニット１のＲＯＭから読み出されて、交換された送信ユニット２に設けられているＲＯＭにコピーされる。このコピーされた調整値に、交換された送信ユニットの対応する電子ボリュームや可変コンデンサなどの調整部品の調整値が調整され、次いで必要あれば電子ボリュームや可変コンデンサなどの調整部品の各調整値が微調整されて、ユニットの回路素子などの電気的特性のばらつきが補正されて、仕様に一致するように調整される。この結果故障時にあっても従来のように、工場に引き取って修理する必要もなくなる。
【００２０】
次に、例として無線通信機１０の出荷時の変調レベルの調整とＲＯＭへのデータの格納について、図２および図３に基づいて説明する。
【００２１】
図２において、符号５１は表示およびキーユニット５内に設けられたマイクアンプを示し、符号５１、５２、５３、５４、５５、５６はコントローラユニット１内に設けられた増幅器、ＤＳＰ、増幅器、電子ボリューム、ＲＯＭ、ＣＰＵを示している。
【００２２】
マイク入力信号端子に送信信号が入力され、コントローラユニット１にわたり、コントローラユニット１内のＤＳＰにより信号処理が行われた後、電子ボリュームにより変調器へ適切な信号レベルに可変されて送信ユニット２から出力される。この出力は送信アンプユニット３にて増幅のうえ送信アンテナ端子に出力される。
【００２３】
詳細には、各ユニットへ調整値の初期値データが書き込まれる（ステップＳ１）。次いで、調整用初期値データの書き込みが済むのを待ち（ステップＳ２）、ステップＳ２において書き込みが済んでないと判別されたときは調整用初期値データの書き込みを行う（ステップＳ３）。これは予め各調整値の統計値を採っておいて、この統計値をＲＯＭに書き込むことで電子ボリュームや可変コンデンサ等の調整値の微調整のみで調整を済ませるために書き込むのである。
【００２４】
ステップＳ２において書き込みが済んでいると判別されたときは、調整用プログラムを立ち上げたマイクロコンピュータと無線通信機１０とを接続し、電子ボリュームや可変コンデンサなどの調整部品の調整値を可変することができるように設定する（ステップＳ４）。マイクロホンへ最大変調度調整時のレベルの信号を入力する（ステップＳ５）。この値には無線通信機の電気的仕様に基づくレベルの信号を使用する。
【００２５】
次いで、マイクロコンピュータによって電子ボリュームや可変コンデンサなどの調整部品の調整を行い、送信ユニット２への信号出力端子の電圧を観測する。この出力の値が最大変調度に必要な値となるように、調整部品の調整を行う（ステップＳ６）。この値は、送信ユニット２の回路特性から、変調モードのワイド（ｗｉｄｅ）、ナロウ（ｎａｒｒｏｗ）、ベリーナロウ（ｖｅｒｙ−ｎａｒｒｏｗ）に必要な信号レベル値となるように無線通信機１０の調整値を決めておく。例えば、７００ｍＶｐｐが出力されれば、変調度はナロウ（２．５ｋＨｚＤｅｖｉ）となるナロウ（２．５ｋＨｚＤｅｖｉ）の調整ならば、出力端子の信号レベルをこの値になるようにマイクロコンピュータを操作する。
【００２６】
出力端子の信号レベルが適切なレベルに調整できたら、その電子ボリュームや可変コンデンサなどの調整部品の調整値をＲＯＭに書き込み（ステップＳ７）、最大変調調整終了となる（ステップＳ８）。
【００２７】
また、他のユニットにおける調整部品の調整および調整値のＲＯＭへの記憶についても同様である。
【００２８】
このように、各ユニット間の出力レベルを観測し、電気的性能を満足するように電子ボリュームや可変コンデンサなどの調整部品を調整することで、回路素子によるばらつきは各ユニットで補正されることになり、どのユニットを交換しても調整仕様を満足することができる。したがって故障したユニットを交換し、交換したユニットにおけるＲＯＭにコントロールユニットに記憶させてある調整部品の調整値を記憶させ、該調整値に調整部品の調整値を設定し、交換したユニットの回路素子の電気的特性のバラツキを補正する簡易な調整を行うことによって、一々無線通信機を製造工場に返送することなしに、故障に対応することができる。
【００２９】
また、工場における無線通信機製造の際にも、ユニット別に調整をすることが可能となって、生産工程を短縮することができる。また、１つのユニットを１つの筐体に収納して独立したセット状にし、これらを組み合わせることによって無線通信機を構成するようにすることもできる。
【図面の簡単な説明】
【００３０】
【図１】本発明の実施の一形態にかかる無線通信機の構成を示す模式図である。
【図２】本発明の実施の一形態にかかる無線通信機における調整作用の一例の説明に供する模式図である。
【図３】本発明の実施の一形態にかかる無線通信機における調整作用の一例の説明に供するフローチャートである。
【図４】従来の無線通信機の構成を示す模式図である。
【符号の説明】
【００３１】
１  コントローラユニット
２および２Ａ  送信ユニット
３および３Ａ  送信アンプユニット
４および４Ａ  受信ユニット
５  表示およびキーユニット
１０および２０  無線通信機
【図１】
2007194678.tif 000003
【図２】
2007194678.tif 000004
【図３】
2007194678.tif 000005
【図４】
2007194678.tif 000006